(57)【要約】【課題】作業者の労力を軽減し、またごく簡単な構成のために操作性が良好であり、かつ低コストでの実施が可能な間接活線工具支持具を提供する。【解決手段】間接活線作業用の先端工具を取り付け可能な絶縁操作棒１１を備えた間接活線工具１０を支持する間接活線工具支持具１であって、絶縁操作棒１１の限界つば１１ａより下方に，互いに離隔して取り付けられる取付部４，８を有する複数の接続具３，７と、この複数の接続具３，７を介して絶縁操作棒１１に並列に連結される支持棒２と、を備える。【選択図】図１
2013085361.tif 000002
【特許請求の範囲】
【請求項１】
間接活線作業用の先端工具を取り付け可能な絶縁操作棒を備えた間接活線工具を支持する間接活線工具支持具であって、
前記絶縁操作棒の限界つばより下方に，取付部を有して互いに離隔して取り付けられる複数の接続具と、
この複数の接続具を介して前記絶縁操作棒に並列に連結される支持棒と、を備えることを特徴とする間接活線工具支持具。
【請求項２】
前記絶縁操作棒は、下端に前記先端工具の操作を行う操作部を備え、
前記複数の接続具のうち，下端の接続具が前記操作部に取り付けられることを特徴とする請求項１記載の間接活線工具支持具。
【請求項３】
前記複数の接続具は、それぞれ前記取付部を介して前記絶縁操作棒に遊着され，この絶縁操作棒を回動可能とすることを特徴とする請求項１記載の間接活線工具支持具。
【請求項４】
前記複数の接続具は、それぞれ前記取付部を介して前記絶縁操作棒又は前記操作部に取り付けられ、このうち前記絶縁操作棒に設けられる取付部は遊着され，この絶縁操作棒を回動可能とするとともに、前記操作部に設けられる取付部は固着されることを特徴とする請求項２記載の間接活線工具支持具。
【請求項５】
前記複数の接続具は、それぞれ支持棒取付部を介して前記支持棒に締緩可能に取り付けられることを特徴とする請求項１乃至請求項４のいずれか１項に記載の間接活線工具支持具。
【請求項６】
前記取付部は、着脱可能に取り付けられることを特徴とする請求項１乃至請求項５のいずれか１項に記載の間接活線工具支持具。
【発明の詳細な説明】
【技術分野】
【０００１】
本発明は、間接活線作業用の先端工具を取り付け可能な絶縁操作棒を備えた間接活線工具を支持する間接活線工具支持具に係り、特に、複数の接続具を介して絶縁操作棒に並列に連結される支持棒を備えた間接活線工具支持具に関する。
【背景技術】
【０００２】
従来、被覆貫通クランプ付きケーブル等の先端工具を高圧線に接続するといった間接活線作業においては、間接活線工具として絶縁操作棒の上端にこの先端工具を取り付けるとともに、下端には操作用のトルクリミッタを接続して使用していた。その際、一方の手でトルクリミッタの握り部を把持しながら、もう一方の手で握り部下端に備えられた先端工具の操作用ハンドルの回動操作を行っていた。
しかし、握り部より上方の絶縁操作棒を把持できないことから握り部を把持する手に荷重が集中することになる。その上、先端工具は重量があるためすぐにこの手が疲れてしまい、作業効率が低下するという課題があった。
そこで、このような課題を解決する目的で、近年、作業者の労力を軽減するための技術が開発されており、それに関して既にいくつかの発明が開示されている。
【０００３】
特許文献１には「ホットスティック支持装置」という名称で、高所作業車の作業台に配設されたホットスティック支持装置に関する発明が開示されている。
以下、特許文献１に開示された発明について説明する。特許文献１に開示された発明は、高所作業車のメインブーム先端部に取り付けられたサブブームと、基端部がサブブームに取り付けられ先端部を所望の位置に保持可能なアーム部材と、アーム部材の先端部に取り付けられてホットスティックを支持するホットスティックホルダと、を備えたことを特徴とする。
このような特徴を備えたホットスティック支持装置においては、ホットスティックホルダによりホットスティックが作業者に代わって支持されるという作用を有する。よって、作業者の労力は軽減され、またホットスティックを支持するための作業者自体が不要となって作業台上の作業スペースを広く取ることができる。
【０００４】
次に、特許文献２には「間接活線工具支持具」という名称で、作業者の身体に装着される間接活線工具支持具に関する発明が開示されている。
特許文献２に開示された発明は、先端工具を取り付け可能な絶縁操作棒を有する間接活線工具支持具であって、作業者の胸部等に装着される身体装着部と、絶縁操作棒に装着される棒装着部と、身体装着部と棒装着部とを連結する連結部と、身体装着部に設けられ絶縁操作棒の基端部を収容して支持する棒支持部と、を備えたことを特徴とする。
このような特徴を有する間接活線工具支持具においては、ホットスティックは、棒装着部、絶縁操作棒の基端部及びこれらの中間付近のスティック柄部を把持する作業者の一方の手、の３箇所により支持される。従って、作業者の一方の手にかかる負担を軽減することができる。また、簡単な構造であるため、製造コストが低いという効果を有する。
【０００５】
そして、特許文献３にも、「間接活線工具支持具」という名称で、高所作業車の作業台に装着される間接活線工具支持具に関する発明が開示されている。
特許文献３に開示された発明は、高所作業車のバケットの周壁部に装着されるレール部と、レール部に沿って移動自在に設けられたスライダー部と、スライダー部に立設された支持柱部と、支持柱部の上端部に設けられ絶縁支持棒を支持する棒装着部と、を備えたことを特徴とする。
このような特徴を有する間接活線工具支持具においては、棒装着部によって支持される絶縁支持棒がバケットの周壁部に装着されるという作用を有する。従って、絶縁支持棒にかかる荷重を周壁部で支持することから、作業者の負担及び疲労を軽減することができる。
【先行技術文献】
【特許文献】
【０００６】
【特許文献１】特開２０００−１８８８０８号公報
【特許文献２】特開２０１０−２４６２２６号公報
【特許文献３】特開２０１０−２５２４５７号公報
【発明の概要】
【発明が解決しようとする課題】
【０００７】
特許文献１に開示された発明においては、ホットスティック支持装置の構成部材が多種に亘っており、複雑な構造となっている。そのため、ホットスティックホルダにホットスティックを取り付ける手順も複雑となっており、例えば先端工具を交換する際等には作業が煩雑となる可能性がある。従って、作業者にかかる荷重は軽減されたとしても、全体的に作業効率を向上させることができない可能性がある。
【０００８】
次に、特許文献２に開示された発明においては、棒装着部、絶縁操作棒の基端部及び作業者の一方の手、を結ぶ形状が常に三角形となることが必要であるため、作業姿勢が制限される可能性がある。また、連結部は弾性材料により帯状に形成されるため、絶縁操作棒が固定されにくいおそれがある。
【０００９】
さらに、特許文献３に開示された発明においては、特許文献１に開示された発明と同様に多種の構成部材を必要とする。従って、操作が煩雑であるとともに、製造コストが高価となる可能性がある。
【００１０】
本発明は、このような従来の事情に対処してなされたものであり、作業者の労力を軽減し、またごく簡単な構成のために操作性が良好であり、かつ低コストでの実施が可能な間接活線工具支持具を提供することを目的とする。
【課題を解決するための手段】
【００１１】
上記目的を達成するため、請求項１記載の発明に係る間接活線工具支持具は、間接活線作業用の先端工具を取り付け可能な絶縁操作棒を備えた間接活線工具を支持する間接活線工具支持具であって、絶縁操作棒の限界つばより下方に，取付部を有して互いに離隔して取り付けられる複数の接続具と、この複数の接続具を介して絶縁操作棒に並列に連結される支持棒と、を備えることを特徴とする。
上記構成の間接活線工具支持具においては、複数の接続具を取り付けた位置に間接活線工具の荷重が分散されるという作用を有する。なお、間接活線工具を直接両手で把持する際には、間接活線工具の最下端が荷重の支持位置となっていた。従って、この場合に比べて支持位置は先端工具に近づくこととなり、最下端を支点とする間接活線工具全体の傾動が防止されるという作用を有する。
【００１２】
次に、請求項２記載の発明に係る間接活線工具支持具は、請求項１記載の間接活線工具支持具において、絶縁操作棒は、下端に先端工具の操作を行う操作部を備え、複数の接続具のうち，下端の接続具が操作部に取り付けられることを特徴とする。
上記構成の間接活線工具支持具においては、請求項１記載の発明の作用に加えて、荷重の支持位置の一つが操作部となるため、操作をしても間接活線工具の揺動が抑制されるという作用を有する。また、操作部は絶縁操作棒の下端に備えられていることから、他の接続部の取付位置を絶縁操作棒の限界つばに近付ける場合には、より広範囲に荷重が分散され、操作時の安定性が増加する。
【００１３】
さらに、請求項３記載の発明に係る間接活線工具支持具は、請求項１記載の間接活線工具支持具において、複数の接続具は、それぞれ取付部を介して絶縁操作棒に遊着され，この絶縁操作棒を回動可能とすることを特徴とする。
上記構成の間接活線工具支持具においては、請求項１記載の発明の作用に加えて、絶縁操作棒を回動可能とすることから、接続具を取り付けることによって先端工具の動作が妨げられないという作用を有する。
【００１４】
また、請求項４記載の発明に係る間接活線工具支持具は、請求項２記載の間接活線工具支持具において、複数の接続具は、それぞれ取付部を介して絶縁操作棒又は操作部に取り付けられ、このうち絶縁操作棒に設けられる取付部は遊着され，この絶縁操作棒を回動可能とするとともに、操作部に設けられる取付部は固着されることを特徴とする。
上記構成の間接活線工具支持具においては、請求項２記載の発明の作用に加えて、操作部に設けられる取付部が固着されるため、これ以外の取付部が絶縁操作棒に遊着されたことに起因する絶縁操作棒の長軸方向に沿ったずれが防止される。なお、上記構成の間接活線工具支持具は、操作部を必要とする作業に対して使用される。
【００１５】
そして、請求項５記載の発明に係る間接活線工具支持具は、請求項１乃至請求項４のいずれか１項に記載の間接活線工具支持具において、複数の接続具は、それぞれ支持棒取付部を介して前記支持棒に締緩可能に取り付けられることを特徴とする。
上記構成の間接活線工具支持具においては、請求項１乃至請求項４のいずれか１項に記載の発明の作用に加えて、接続具は、支持棒取付部を締め付けることで支持棒に固着され、反対に支持棒取付部を緩めることで支持棒から取り外されるという作用を有する。すなわち、支持棒取付部に対して支持棒は長軸方向に自在に移動し、所望する位置で支持棒が固定されるという作用を有する。
【００１６】
さらに、請求項６記載の発明に係る間接活線工具支持具は、請求項１乃至請求項５のいずれか１項に記載の間接活線工具支持具において、取付部は、着脱可能に取り付けられることを特徴とする。
上記構成の間接活線工具支持具においては、請求項１乃至請求項５のいずれか１項に記載の発明の作用に加えて、取付部が着脱可能であるため、回動後の絶縁操作棒に対応するように、取付部の周方向の位置が調整されるという作用を有する。また、取付具は絶縁操作棒の長軸方向に自在に移動して取り付けられる。
【発明の効果】
【００１７】
本発明の請求項１記載の間接活線工具支持具によれば、間接活線工具の荷重が分散されるため、特に、従来のような一方の手に荷重が集中することが解消される。従って、作業者の労力が軽減され、作業効率を向上させることができる。また、間接活線工具の不要な運動が抑制されて安定性が高まることから、間接活線工具の操作性が向上するとともに、作業者が周囲の高圧線に過接近するといった危険性を排除可能である。さらに、間接活線工具支持具は、接続具および支持棒といった簡易な構成であって製作容易であるため、低コストでの実施が可能である。
【００１８】
本発明の請求項２記載の間接活線工具支持具によれば、請求項１に記載の発明の効果に加えて、操作時の間接活線工具の揺動が抑制されることから、速やかに作業を完了することができる。また、揺動による作業者のストレスが軽減される。
【００１９】
本発明の請求項３記載の間接活線工具支持具によれば、請求項１に記載の発明の効果に加えて、操作部を必要としない作業においても先端工具の動作が妨げられず、絶縁操作棒の回動を先端工具に効率よく作用させることができる。よって、先端工具の操作性が維持できる。また、広範囲に荷重が分散されて作業者の労力が軽減されることから、長時間の作業による手の疲労が原因で、絶縁操作棒を落下させてしまうといった危険性がなく、高圧線への接触事故等を未然に防止可能である。
【００２０】
本発明の請求項４記載の間接活線工具支持具によれば、請求項２に記載の発明の効果に加えて、操作部の操作を先端工具に効率よく作用させることができる。また、操作部に取付部が固着されるので、間接活線工具支持具を把持しながらも間接活線工具全体が脱離するといった事故を防止できる。
【００２１】
本発明の請求項５記載の間接活線工具支持具によれば、請求項１乃至請求項４のいずれか１項に記載の発明の効果に加えて、支持棒取付部に対して所望する位置に支持棒を容易に固定・移動させることができる。従って、例えば接続具同士の間隔を狭める等の取付位置を変更する場合に、柔軟に対応することが可能であり、利便性が良い。
【００２２】
本発明の請求項６記載の間接活線工具支持具によれば、請求項１乃至請求項５のいずれか１項に記載の発明の効果に加えて、作業内容によって接続具の取付位置を決定できるとともに、作業中においても接続具の取付位置をある程度移動させることができることから、容易に微調整が可能である。また、既存の間接活線工具にも取付可能なため、汎用性が高いという効果を有する。
【図面の簡単な説明】
【００２３】
【図１】は、実施例１に係る間接活線工具支持具の側面図である。
【図２】は、実施例１に係る間接活線工具支持具の使用状態図である。
【図３】（ａ）乃至（ｄ）は、実施例１に係る間接活線工具支持具の接続具の正面図及び側面図である。
【図４】は、実施例１に係る間接活線工具支持具の使用状態図である。
【図５】（ａ）は実施例２に係る間接活線工具支持具の側面図であり、（ｂ）はこれを構成する接続具の正面図である。
【発明を実施するための形態】
【実施例１】
【００２４】
本発明の実施の形態に係る実施例１の間接活線工具支持具について、図１及至図４を用いて詳細に説明する（主に、請求項１，請求項２，請求項４及び請求項６に対応）。
図１は、実施例１に係る間接活線工具支持具の側面図である。
図１に示すように、本実施例の間接活線工具支持具１は、間接活線工具１０の限界つば１１ａより下方に取り付けられる。間接活線工具支持具１は、絶縁操作棒１１に並列する支持棒２と、支持棒２を絶縁操作棒１１に取り付けるための２個の接続具３，７と、から構成されている。この接続具３，７は、金属製であって、一端がそれぞれ絶縁操作棒１１とトルクリミッタ１２の握り部１２ａに取り付けられ、その反対端（他端）は、支持棒２の略上端部、略下端部に取り付けられている。
取り付けは、絶縁操作棒１１と接続具３が取付部４を介し、握り部１２ａと接続具７は取付部８を介して行われている。また、支持棒２と接続具３，７は支持棒２の略上端部、略下端部において、いずれも支持棒取付部６，６を介して行われている。そして、トルクリミッタ１２のハンドル１２ｂは、絶縁操作棒１１の長軸を中心とする回動運動（図中Ｘ方向）を可能とし、これに連動して絶縁操作棒１１も回動する構造となっている。なお、支持棒２及び接続具３，７は、限界つば１１ａより下方に取り付けられることから、特に絶縁性を有していない。
【００２５】
図２は、先端工具を取り付けた場合の実施例１に係る間接活線工具支持具の使用状態図であるが、例として、上端に被覆貫通クランプ１４を備えた間接活線工具１０を示している。なお、図１で示した構成要素については図２あるいはこれ以降の図３、図４においても同一の符号を付して、その説明を省略する。
図２における間接活線工具１０は、絶縁操作棒１１の上端に開口部１４ａと締付部１４ｂを備えた被覆貫通クランプ１４が設けられるとともに、下端にトルクリミッタ１２が設けられている。
被覆貫通クランプ１４は、トルクリミッタ１２のハンドル１２ｂを回すことで絶縁操作棒１１が回動し、締付部１４ｂが絶縁操作棒１１の回動運動に伴って上下運動を行い、その結果締付部１４ｂの先端に設けられた開口部１４ａが開閉され、高圧線１３を把持又は解放する。このとき、作業者が間接活線工具１０を支持する位置は、例えば支持棒２のＡ１及びハンドル１２ｂのＡ２であり、Ａ１を左手で握り、Ａ２を右手で握ってハンドル１２ｂを回動させることによれば、荷重分散によって長尺の絶縁操作棒１１の支持が容易である。
【００２６】
図３（ａ）及び図３（ｃ）は、実施例１に係る間接活線工具支持具の接続具の側面図であり、図３（ｂ）及び図３（ｄ）は、実施例１に係る間接活線工具支持具の接続具の正面図である。
図３（ａ）及び図３（ｂ）に示されるように、接続具３は、前述の取付部４と、取付部４と反対端の支持棒取付部６と、これらの間を連結するアーム部５と、から構成される。取付部４はリング状であって、絶縁操作棒１１を嵌合する絶縁操作棒孔４ａと、５列の緩衝突起４ｂと、ヒンジ４ｃと、留めボルト４ｄと、開閉部４ｅと、が設けられている。緩衝突起４ｂは、それぞれ断面が略三角形状の弾性材からなり、絶縁操作棒孔４ａの周方向に沿って軸対称に配置される。このため、緩衝突起４ｂは絶縁操作棒孔４ａの周方向については一様に均一な先端を形成し、絶縁操作棒孔４ａの長軸方向については５個の凹凸面を形成している。すなわち、接続具３では、ヒンジ４ｃを支軸として開閉部４ｅが開放されると絶縁操作棒１１が脱着され、開閉部４ｅの閉鎖後に留めボルト４ｄが締め付けられると開閉部４ｅの閉鎖状態が維持され、絶縁操作棒１１の外周に緩衝突起４ｂが密着するという構造となっている。
一方、支持棒取付部６は支持棒２を挿入する支持棒孔６ａを有している。支持棒孔６ａの内径は、支持棒２の外径と略同一であるため、支持棒２の外周に支持棒孔６ａが密着する構造となっている。なお、この支持棒孔６ａには、緩衝材、ヒンジ、留めボルト、開閉部は特に備えられていない。この構造については、下記の図３（ｃ）、（ｄ）における支持棒孔６ａにおいても同様である。
【００２７】
図３（ｃ）及び図３（ｄ）に示されるように、握り部１２ａに取り付けられる接続具７は、取付部８と、支持棒取付部６と、これらの間を連結するアーム部９と、から構成される。取付部８もリング状であって、握り部１２ａを嵌合する操作部孔８ａと、内周面が平坦な緩衝環８ｂと、ヒンジ８ｃと、留めボルト８ｄと、開閉部８ｅと、が設けられている。取付部４と同様に、接続具７においても、ヒンジ８ｃを支軸として開閉部８ｅが開放されるとトルクリミッタ１２が脱着され、開閉部８ｅの閉鎖後に留めボルト８ｄが締め付けられると開閉部８ｅの閉鎖状態が維持され、トルクリミッタ１２の外周に緩衝環８ｂが密着する構造となっている。この他の構成は、接続具３と同様である。
【００２８】
図４は、図２とは異なる先端工具を取り付けた場合の実施例１に係る間接活線工具支持具の使用状態図である。図４においては、被覆貫通クランプ１４以外の例として、上端に故障点標定システム１５を備えた間接活線工具１０を示す。故障点標定システム１５においても、被覆貫通クランプ１４と同様に締付部（図示せず）が上下運動を行うことで、締付部の先端に設けられた開口部１５ａが開閉され、高圧線１３を把持又は解放することができる。
【００２９】
本実施例の間接活線工具支持具１によれば、間接活線工具１０の荷重が、複数の箇所、すなわち接続具３，７を取り付けた位置に分散されるという作用を有する。よって、支持棒２のＡ１を一方の手が把持する場合にあっては、分散された荷重の合計は間接活線工具支持具１を取り付ける以前と変化はないが、接続具３によって荷重の支持位置が上部の先端へと近づくこととなる。これにより、この支持位置には、接続具７、すなわち握り部１２ａを支点とする間接活線工具１０の下方への傾動（例えば、図中左方向への傾動）を打ち消す方向（例えば、図中右方向）に力が生じる。従って、この傾動が抑制されるという作用を有する。
【００３０】
また、接続具３の取付部４の内周においては、絶縁操作棒１１の長軸方向に連続する凹凸面を備える緩衝突起４ｂが形成されている。このような緩衝突起４ｂでは、周方向に関して絶縁操作棒１１との接触箇所が一様に均一であることから絶縁操作棒１１の表面との周方向に対する摩擦が少ない。
これに対し、絶縁操作棒孔４ａの長軸方向については凹凸面を形成しているため、この凹凸面が絶縁操作棒１１の表面と大きく摩擦する。従って、取付部４は絶縁操作棒１１に遊着される際にも、絶縁操作棒１１の長軸方向の移動は阻止され易いが、回動は阻止され難いという作用を有する。
なお、遊着の度合いについては適宜設定可能である。例えば、緩衝突起４ｂの内径、すなわち内側に凸の部分の内径は、絶縁操作棒１１の外径と略同一としてもよい。もちろん、緩衝突起４ｂの内径を絶縁操作棒１１の外径よりも大きくすることで、より隙間を生じるので遊着の度合いは大きくすることができるが、あまり隙間を生じさせると、絶縁操作棒１１及びその上端に接続されている故障点標定システム１５等が固定されず、操作時に不都合である可能性が高い。従って、可能な限り隙間を狭くすることで絶縁操作棒１１等の回動を許しながら、長軸方向へのずれを防止することが望まれる。
一方、接続具７の取付部８の内周においては、緩衝環８ｂは凹凸面がなく平坦であることから、その内周面全体が握り部１２ａの表面と摩擦する。さらに、留めボルト８ｄを締め付けると、握り部１２ａが回動しない構造と相まって、取付部８は握り部１２ａに強く密着することとなる。従って、接続具７は握り部１２ａに対して、周方向及び長軸方向に対してずれを生じない構造となっている。
また、接続具３は支持棒２を介して接続具７と連結されているので、接続具７の取付部８によって接続具３の取付部４におけるずれは発生が防止され、取付部４が絶縁操作棒１１に遊着されていても絶縁操作棒１１が長軸方向にずれるということがないという作用を有する。
【００３１】
さらに、握り部１２ａに取付部８が固着されていることで、握り部１２ａの下端に設けられたハンドル１２ｂを回動させた場合であっても、支持棒２を把持することにより間接活線工具１０の揺動が抑制されるという作用を有する。さらに、トルクリミッタ１２がハンドル１２ｂとともに回動することが防止される。よって、被覆貫通クランプ１４を備えた図２に示される場合においては、ハンドル１２ｂの回動する力が絶縁操作棒１１、締付部１４ｂ、の順で、開口部１４ａに効率良く伝達されるという作用を有する。
【００３２】
加えて、接続具３，７は、それぞれ絶縁操作棒１１，トルクリミッタ１２に対して着脱する構造となっているため、先端工具の重量の程度に応じて、接続具３，７の長軸方向の間隔が調整される。このとき、接続具７は握り部１２ａに取り付けられていると良い。なお、このためには支持棒２は少なくとも限界つば１１ａから握り部１２ａに至るまでの長さを有していることが望ましい。
また、接続具３，７が着脱可能であるということから、絶縁操作棒１１の周方向について、支持棒２が開口部１４ａ，１５ａの方向に適する向きとなるように接続具３，７の位置が細かく調整されるという作用を有する。
さらに、支持棒取付部６の支持棒孔６ａは支持棒２に密着しているため、それらの間の摩擦力によって支持棒取付部６と支持棒２とが互いにずれないという作用を有する。従って、後述のように支持棒２が伸縮可能な構造であれば、支持棒取付部６の支持棒２に対する取付位置をずらさないままに、取付部４の取付位置が絶縁操作棒１１の長軸方向に沿って上下に移動する。
【００３３】
以上説明したように、本実施例の間接活線工具支持具１によれば、握り部１２ａを支点とする間接活線工具１０の下方への傾動が抑制されるため、支持棒２を把持する手にかかる負荷を減少させることができる。よって、間接活線工具１０を安定的に支持可能となり、操作性が向上する。従って、作業者の労力が軽減され、作業効率を向上させることができるとともに、間接活線工具１０の先端が倒れて周囲の高圧線に接触するといった危険性を回避することができる。
また、接続具３は、緩衝突起４ｂにより絶縁操作棒１１の回動を阻害しないことから、ハンドル１２ｂの回動力が無駄なく先端工具に伝達され、間接活線工具支持具１を接続したことによって先端工具の機能を低下させることがない。加えて、接続具７は、取付部８の留めボルト８ｄを締め付けることで握り部１２ａに固着されるため、ハンドル１２ｂの回動によるトルクリミッタ１２の揺動や共回りを防止可能であり、先端工具にハンドル１２ｂの回動力を効率良く伝達することができる。
【００３４】
さらに、取付部４，８は、それぞれ絶縁操作棒１１，握り部１２ａに着脱可能であることから、先端工具の重量や形状、作業足場等の環境に合わせて間接活線工具支持具１の取付位置を、作業を行い易いよう適宜調整することができる。よって、作業姿勢を抑制することが少なく、労力軽減や作業時間の短縮につながる。また、間接活線工具支持具１を使用しない際には間接活線工具１０から取り外すことができるので、間接活線工具１０を他の作業に使用可能であるとともに、間接活線工具１０をコンパクトに収納することができる。
この一方で、取付部４，８及び支持棒取付部６は、それぞれ間接活線工具１０及び支持棒２に固着可能なため、作業中に間接活線工具１０から間接活線工具支持具１が脱落したり、間接活線工具支持具１自体が分解したりする危険性がない。従って、間接活線工具支持具１によって作業の安全性や使用時の信頼性がもたらされるという効果を有する。
加えて、間接活線工具支持具１の構成要素は、支持棒２及び接続具３，７のみであり構造が簡易なものであるため、製作が容易であって、低コストで導入が可能である。しかも、様々な間接活線工具１０に容易に接続できるので、汎用性をも有している。また、間接活線工具支持具１を使用する際には、把持する手の負荷が軽減され、作業台や間接活線工具支持具１の一部を身体に連結することが不要であることから、間接活線工具１０の操作性が良好である上に作業姿勢に制限が加えられないことで作業効率が向上するという効果を有する。
【００３５】
なお、本発明の間接活線工具支持具１の構造は本実施例に示すものに限定されない。例えば、支持棒２は伸縮可能な構造であっても良く、この場合間接活線工具支持具１を間接活線工具１０から取り外した後、よりコンパクトに収納できるという効果を有する。また、支持棒２の表面に、手の滑り止めとして複数の凸部が連続して設けられても良く、支持棒取付部６，６のずれ防止として支持棒２の両端付近にそれぞれ突状の係止部を設けて、接続具３，７との間で干渉させてもよい。さらに、取付部４の緩衝突起４ｂの列数が５列以外であっても良く、取付部８の緩衝環８ｂの内周は必ずしも平坦でなくても良い。また、接続具３，７における支持棒孔６ａ，６ａの内周に緩衝材が設けられていても良く、支持棒取付部６が支持棒２に対して緩くなってしまうような場合には固着される構造であっても良い。この場合には、接続具３，７の長軸方向の間隔が固定されるが、固着構造が、固着を解除可能な構造をも備える場合には、固着を解除して支持棒２と接続具３，７との位置関係を調整し、定まった後に固着状態にするとよい。このような固着・固着解除を容易に可能とする構造は、例えば取付部４，８と同様に、支持棒孔６ａに緩衝材、ヒンジ、留めボルト、開閉部を設けることで実現される。
この他、接続具３が２個以上でも良く、支持棒２及び接続具３，７は、絶縁性を有していても良い。
【実施例２】
【００３６】
本発明の実施の形態に係る実施例２の間接活線工具支持具について、図５を用いて詳細に説明する（主に、請求項３及び請求項５に対応）。
図５（ａ）は実施例２に係る間接活線工具支持具の側面図であり、図５（ｂ）はこれを構成する接続具の正面図である。なお、図１乃至図４で示した構成要素については図５においても同一の符号を付して、その説明を省略する。
図５（ａ）に示すように、本実施例の間接活線工具支持具１６は、絶縁操作棒１１の下端にトルクリミッタ１２を備えていない間接活線工具１０ａに取り付けられる。実施例１の間接活線工具支持具１においては、接続具７が握り部１２ａに取り付けられていたが、この代わりに、接続具３ａが絶縁操作棒１１の下端に直接取り付けられている。さらに、その上方には、間接活線工具支持具１における接続具３の代わりに接続具３ａが絶縁操作棒１１に取り付けられている。すなわち、接続具３ａの一端はいずれも取付部４を介して絶縁操作棒１１に取り付けられており、絶縁操作棒１１に対して複数の接続具３ａが設けられている。また、これら接続具３ａの他端には、実施例１の接続具３における支持棒取付部６の代わりに支持棒取付部１８がそれぞれ備えられている。
さらに、ハンドルアタッチメント１７が絶縁操作棒１１の最下端に嵌合されている。このハンドルアタッチメント１７は、ハンドル１２ｂを絶縁操作棒１１に取り付け固定する部材であって、絶縁操作棒１１への嵌合は、緩みのないようある程度強固なものである。このため、ハンドル１２ｂを図中Ｘ方向に回動させると、ハンドルアタッチメント１７及び絶縁操作棒１１が一体として回動可能な構造となっている。そして、下方の接続具３ａの取付位置は、図中ではハンドルアタッチメント１７の直上としているが、このハンドルアタッチメント１７の上方であれば、操作性を考慮しながら任意に配置可能である。なお、このようにトルクリミッタ１２を備えていない間接活線工具１０ａを用いるのは、例えば、接地短絡器具の取付・取外し、防護管挿入機の取付・取外し、防護管固定具の取付・取外し等の作業時である。
【００３７】
上方の接続具３ａの他端は、支持棒取付部１８を介し、支持棒２の上端部よりも中央寄りに取り付けられる。このような位置に支持棒取付部１８が取り付けられている理由は、上方の接続具３ａを限界つば１１ａ方向に移動させない場合では、トルクリミッタ１２が備えられていない分、接続具３ａ同士の長軸方向の間隔を短縮する必要が生じてくるため、支持棒２に対する支持棒取付部１８の取付位置を調整したことによる。なお、支持棒取付部１８は、後述のように緩衝環１８ｂ（図５（ｂ）参照）を開放することで支持棒２への取付位置が変更され、また留めボルト１８ｄ（図５（ｂ）参照）を締め付けることで支持棒２へ固着される構造のため、上記の取付位置の調整が可能となっている。
【００３８】
図５（ｂ）に示すように、接続具３ａは、取付部４と、支持棒取付部１８と、アーム部５と、から構成される。
また、支持棒取付部１８は、支持棒２を挿入する支持棒孔１８ａと、緩衝環１８ｂと、ヒンジ１８ｃと、留めボルト１８ｄと、開閉部１８ｅと、から構成される。支持棒孔１８ａは、内径が支持棒２と略同一であり、緩衝環１８ｂは実施例１の緩衝環８ｂと同一の内周面が平坦な構造である。
支持棒取付部１８においても、ヒンジ１８ｃを支軸として開閉部１８ｅが開放されると支持棒２が脱着され、開閉部１８ｅの閉鎖後に留めボルト１８ｄが締め付けられると支持棒２の外周に緩衝環１８ｂが密着する構造となっている。なお、留めボルト１８ｄの締め付けは、最大でその先端が支持棒２に当接するまでである。
【００３９】
本実施例の間接活線工具支持具１６によれば、絶縁操作棒１１の下端に取り付けられた接続具３ａの取付部４を支点とする間接活線工具１０ａの下方への傾動が抑制される。また、上端・下端いずれの接続具３ａにおいても緩衝突起４ｂが、絶縁操作棒１１に密着しているので、取付部４は絶縁操作棒１１に遊着され、絶縁操作棒１１の長軸方向の移動は阻止され易いが、回動（図５（ａ）Ｘ方向）は阻止され難いという作用を有する。
さらに、下端の接続具３ａの直下にはハンドル１２ｂがハンドルアタッチメント１７を介して絶縁操作棒１１に接続されているため、ハンドル１２ｂの回動する力が絶縁操作棒１１の先端に取り付けられた先端工具に効率良く伝達されるという作用を有する。加えて、作業者は片手をハンドルアタッチメント１７のハンドル１２ｂに添えて絶縁操作棒１１を支持可能に回転させるので、取付部４が絶縁操作棒１１に遊着されていても絶縁操作棒１１が抜け落ちることはない。
さらに、ハンドルアタッチメント１７の径が絶縁操作棒１１の径よりも大きい場合には、接続具３ａをハンドルアタッチメント１７の上面に当接させることによって、接続具３ａがハンドルアタッチメント１７で支持され、絶縁操作棒１１の下端から間接活線工具支持具１６が抜け落ちないという作用を有する。もちろん、複数の接続具３ａによって広範囲に絶縁操作棒１１に係る荷重が分散される作用も有する。
また、支持棒取付部１８においては、支持棒２の外周に内周面が平坦な緩衝環１８ｂが密着する構造となっていることから、開閉部１８ｅを閉鎖すると、実施例１の緩衝環８ｂと同様に周方向及び長軸方向に対してずれを生じないという作用を有する。さらに、留めボルト１８ｄの先端が支持棒２に当接するまでこれを締め付けることで、支持棒取付部１８が支持棒２に強固に固着され、反対に留めボルト１８ｄを緩めて支持棒取付部１８から取り外すことで開閉部１８ｅは開放される。従って、支持棒取付部１８は、支持棒２に対し容易に固着・固着解除されるという作用を有する。一旦固着されると、支持棒２に対する支持棒取付部１８の位置がずり下がることがないので、前述の間接活線工具１０ａから間接活線工具支持具１６が抜け落ちないという作用が補強される。また、固着解除されると、図５（ａ）に示すように、支持棒２はＹ方向の平行移動を行う。
この他、実施例１に係る間接活線工具支持具１と同様の作用を有する。
【００４０】
以上説明したように、本実施例の間接活線工具支持具１６によれば、接続具７を接続具３ａに代えた場合にも絶縁操作棒１１自体の回動が妨げられない。従って、絶縁操作棒１１を回動させる必要があるがトルク管理の必要はない場合に間接活線工具１０ａを支持することが可能であるので、この場合においても作業者の労力を軽減することができる。このとき、ハンドルアタッチメント１７によって下方の接続具３ａが支持されているので、この接続具３ａの抜け落ち防止となり、より安定して間接活線工具１０ａを保持できるという効果を有する。
また、支持棒取付部１８は、支持棒２に対し容易に固着・固着解除されることから、支持棒２に対する支持棒取付部１８の取付位置を自在かつ容易に変更できるという効果を有する。すなわち、支持棒２はその長軸方向に自在に移動し、所望する位置で支持棒取付部１８によって固定可能である。さらに、下方の接続具３ａの取付部４も絶縁操作棒１１に着脱可能であることから、絶縁操作棒１１の下端にトルクリミッタ１２を再度取りつけた場合には、接続具３ａを実施例１の接続具７へと速やかに交換することができ、作業内容の違いにその場で適切に対応することが可能である。
この他、実施例１に係る間接活線工具支持具１と同様の効果を有する。
【００４１】
なお、本発明の間接活線工具支持具１６の構造は本実施例に示すものに限定されない。例えば、緩衝突起４ｂの代わりに緩衝環８ｂが用いられても良く、緩衝環１８ｂの代わりに緩衝突起４ｂのように内周に突起をそなえた緩衝材が用いられても良い。
【産業上の利用可能性】
【００４２】
請求項１乃至請求項６に記載された発明は、間接活線作業用の先端工具を取り付け可能な絶縁操作棒を備えた間接活線工具を支持する間接活線工具支持具として利用可能である。
【符号の説明】
【００４３】
１，１６…間接活線工具支持具  ２…支持棒  ３，３ａ，７…接続具  ４，８…取付部  ４ａ…絶縁操作棒孔  ４ｂ…緩衝突起  ４ｃ，８ｃ，１８ｃ…ヒンジ  ４ｄ，８ｄ，１８ｄ…留めボルト  ４ｅ，８ｅ，１８ｅ…開閉部  ５，９…アーム部  ６，１８…支持棒取付部  ６ａ，１８ａ…支持棒孔  ８ａ…操作部孔  ８ｂ，１８ｂ…緩衝環  １０，１０ａ…間接活線工具  １１…絶縁操作棒  １１ａ…限界つば  １２…トルクリミッタ  １２ａ…握り部  １２ｂ…ハンドル  １３…高圧線  １４…被覆貫通クランプ  １４ａ，１５ａ…開口部  １４ｂ…締付部  １５…故障点標定システム  １７…ハンドルアタッチメント  Ｘ…回動方向  Ｙ…移動方向
【図１】
2013085361.tif 000003
【図２】
2013085361.tif 000004
【図３】
2013085361.tif 000005
【図４】
2013085361.tif 000006
【図５】
2013085361.tif 000007